(57)【要約】      （修正有）【課題】強力な磁力と、流体通過時の磁束との接触角度と、磁力が反発と誘導を同時に引き起こすような磁束幅と磁束の作用方向の条件を全て整え、構造もシンプルで製造コストが低く取り付けが容易な液体燃料改質装置を提供する。【解決手段】燃料供給菅５の外周に、Ｎ極とＳ極を相対して配置されるネオジウム磁石２と、その位置決めをする耐熱シリコン樹脂で成型されたバンド１を設置した燃料改質装置において、ネオジウム磁石２の形状は、直方体で、長手方向の燃料供給菅５の外周面に接するよう複数個を直列に配置する。ネオジウム磁石２の配置は燃料供給菅５断面から見た時、直径線より左右対称に、同数のネオジウム磁石２を、Ｎ極とＳ極が向き合うように配置にする。直径線の線上にはネオジウム磁石２を置かない幅領域を設ける。これにより、磁が通過流体を励起させる効果を高め、電子励起作用を促進させ、燃料改質の効果を高めた。【選択図】図１
0003187804.tif 000002
【実用新案登録請求の範囲】
【請求項１】
燃料供給菅５の外周に、Ｎ極とＳ極を相対して配置されるネオジウム磁石２と、その位置決めをする耐熱シリコン樹脂で成型されたバンド１を設置した燃料改質装置において、ネオジウム磁石２の形状は、直方体で、長手方向の供給菅５外周面に接するように複数個を直列に配置したことを特徴とする液体燃料改質装置。
【請求項２】
磁石の配置は供給菅断面から見たときに、直径線９より、左右対称に、同数の磁石を、Ｎ極とＳ極とが向き合うように配置にするが、直径線９の線上には、磁石を置かない幅領域を設けたことを特徴とする請求項１記載の液体燃料改質装置。
【考案の詳細な説明】
【技術分野】
【０００１】
本考案は、磁力作用より液体燃料の改質を図り、燃焼効率の改善することで内燃機関の効率的運転とクリーンな排気を目的とした液体燃料改質装置に関するものである。
【背景技術】
【０００２】
従来、磁石を燃料パイプに取り付けた考案は数多くある（例えば、特許文献1参照）
【０００３】
類似するものには、永久磁石を２個以上用い、燃料パイプに挟み込む形態の考案もある。
【先行技術文献】
【特許文献】
【０００４】
【特許文献１】特開２０１０−１０６８２１号
【特許文献２】特開Ｈ６−５８５２５号
【特許文献２】登録実用第３０３０６０３号
【考案の概要】
【考案が解決しようとする課題】
【０００５】
従来、考案された方法は流体経路に磁石を組み合わせた躯体経路を接触通過させるものや、磁束の広い大型磁石を挟み込むものや、磁石個数を増やして連続させる類のものであったが、実際に磁性を持たない流体を瞬間的に電気分解し、その分子配列を変えることで液体燃料の酸素分子と結合し易い状態へ改質させるためには、強力な磁力と、流体通過時の磁束との接触角度と、磁力が反発と誘導を同時に引き起こすような磁束幅と磁束の作用方向の条件を全て整え、構造もシンプルで、製造コストが低く、取り付けが容易な装置は見られなかった。
【課題を解決するための手段】
【０００６】
用いる磁石にネオジウム磁石の略直方体形状のものを複数取り付けることで強力な磁束を多角的に経路菅の中心に集中させ、さらに極性の組み合わせは、菅の断面の垂直中心線を対象線となるように、左右向かい合わせに、同数配置した磁石が、Ｎ極とＳ極とが対極する磁力線をつくったことで、作用原理であるマイクロファラデー理論が示す、２極間の磁場の中に電気伝導度を持った流体が一定以上の流速で直角に横切った時に電子励起作用を引き起こし、液体分子の配列を燃焼時の酸素分子結合しやすい状態に改質する効果をもたらす為の効果的な磁束形状を考案した。５の直径が２０Ａ相当に大きい場合は、開き幅が大きくなるので、１の構成は、半割したセグメント２枚の付き合わせ形状とし、ズレ止めのために、向かい合わせ角部分の数箇所に凹凸成形して外周をバンド巻きすることで大口径の５まで対応できる。また、５の末端を外して中通しする設置方法をすれば、装置本体１には切り込み7の加工を省略した一体成形物で対応できる。
【考案の効果】
【０００７】
従来、考案された方法は流体経路に磁石を組み合わせた躯体経路を接触通過させるものや、磁束の広い大型磁石を挟み込むものや、磁石個数を増やして連続させる類のものや、均等に分散配置させたものを外周巻きするものは見られたが、磁性を持たない流体の分子配列を瞬時に組み変えて液体燃料の酸素結合し易い状態に改質する為には、高い磁力と流体通過時の磁束を横切る角度と極性の組み合わせによる磁束形成の複合的条件を備えたもので、低コストでかつ設置容易な小型燃料改質装置を考案とした。効果の応用は液体燃料のみならず空気に対しても改質効果が期待できるが、その場合、磁石に限らず放射能を発する鉱石や発電効果のある鉱石を代替えしても本装置１の構成は非接触型改質装置として有効である。
【図面の簡単な説明】
【０００８】
【図１】本考案の全体斜視図である。
【図２】断面図である。
【図３】使用状態を示す概略図である。
【考案を実施するための形態】
【０００９】
以下、本考案である液体燃料改質装置の実施形態を図面ともに詳述する。
【実施例１】
【００１０】
図３は本考案の装置の実施図の一例である。図２で示したように装置の構成は、略立方体の磁石２を、曲げ柔軟性を有する円筒形の樹脂体１に設けた複数孔に差し込み保持したものを、図１の様に燃料供給菅５の外周にスペーサー４を張り付けた上に、１の切り口7を広げて、燃料供給菅５を巻きつけた上に、取付け金具３を、長手方向の切り口７を覆うように、取付け金具の端が装置本体１の溝８に嵌め留めこんだ概観図である。磁石１は、主としてネオジウムを主成分に焼結させた、１個当たり3000ガウス以上のものを、複数個を、直径線９より左右対称に配置するものであるが、直径線９の上下幅領域には磁石を配置しないようした。中心磁場が１万２千ガウス以上収束するよう設置した。ネオジウム磁石２は、面積の広い面の表裏にＮＳ極性をもつ、略直方体の形状のもので、耐熱皮膜加工したものとする。装置本体１は、絶縁性を有する、トルマリンや放射能を発する鉱石の微粉末を混ぜてなる耐熱樹脂のものとし、滑り止めと中心位置保持目的のスペーサー４には、厚み１５ミリ以内の圧縮性のあるウレタン系ゴムかウレタンスポンジを用いる。対向配置した磁石は接触しないよう３ミリ以上の間隔をおいて保持させたことより、複数の磁石の放射的磁場が、燃料供給菅の中心部に収束させて形成された強力な磁場に反応した液体燃料に対して垂直に横切る、その方向性を高めるために、複数個の略直方体の磁石を、左右対称に、密間隔に配置したことで、流量方向に対して磁束が垂直形成すると同時に、その磁束が流体をＮＳの一通方向へ誘導・反発力を高めている。
尚、ネオジウム磁石２の形状は、直方体で説明したがこれに限定されるものではなく、６角形あるいは８角形の多角形を採用し得るものである。
【００１１】
取り付け箇所は燃料噴射に近いほど良く、高熱場所を避け、磁性体に接触しない位置が望ましい。実施図３では、燃料フィルターの前に取り付けたものだが、前・後どちらでも効果に支障はない。
【００１２】
本考案の磁束配置は、永久磁石の中でも強力な磁力をもつネオジウム磁石を採用しているが、電気を用いて発生させても同じ効果が期待できるが、その場合は装置も大きくなり、帯電された機関内での設置は望ましくない。
また、磁石には磁力線でその作用力を表すことができ、Ｓ極からＮ極に放射状的に、一方的に向かい、磁化線を矢印で表現すれば、Ｎ極には反発が、Ｓ極には吸引力が磁界の中で発生することは知られていることであるが、本考案では、略直方体の板状のものを採用した理由に、着磁方向が板面より垂直に発するため、複数に直列配置した磁石は燃料供給菅中心に向かって磁力を収束する効果をもたらせ、さらに磁石を流体方向に長手方向に平行させたことで通過磁束領域を長く惹起させることで改質効果を高めた。    
【産業上の利用可能性】
【００１３】
内燃機関に供給する液体燃料であれば、全てに応用できるので、ガソリンや軽油、灯油を燃料とする、自動車エンジンからボイラーまで幅広い用途が考えられる。
【符号の説明】
【００１４】
１  装置本体
２  磁石  
３  取付け金具
４  スペーサー
５  燃料供給菅
６  燃料フィルター
７  本体切り口
８  取り付け金具溝
９  直径線
【図１】
0003187804.tif 000003
【図２】
0003187804.tif 000004
【図３】
0003187804.tif 000005